(57)【特許請求の範囲】
【請求項１】
基礎本体の下方を押して基礎本体を上昇させる縦向きのネジ棒を螺合させる雌ネジ部が、基礎本体に備えられ、
基礎はコンクリートの布基礎からなり、地上に突出する基礎本体立ち上がり部分の側面に、床下に連通する貫通した操作孔が設けられ、雌ネジ部に螺合させたネジ棒が、この操作孔内を上下方向に横断するようにして基礎本体に備えられ、
操作孔内に露出するネジ棒の外周部に少なくとも２つのナットが螺合され、
操作孔内において該少なくとも２つのナットをネジ棒の外周部で締め合わせてネジ棒と一体化し、該ナットを回転操作することでネジ棒を一体回転させ、基礎本体の下方を押して基礎本体を上昇させることができるようになされていると共に、
前記少なくとも２つのナットは、ネジ棒との一体回転のための締め合わせ状態を解除することができるようになされており、基礎本体を上昇させていく過程で締め合わせ状態を解除し、これらナットをネジ棒に沿って回転上昇させ、その高さ位置で締め合わせてネジ棒と一体化し、該ナットを回転操作することでネジ棒を一体回転させて基礎本体を更に上昇させることができるようになされていることを特徴とする、不同沈下修正機能を有する直接基礎の構造。
【請求項２】
基礎本体の下方に反力盤が備えられている請求項１に記載の直接基礎の構造。
【請求項３】
請求項１又は２に記載の直接基礎の構造における操作孔内のネジ棒の外周部で締め合わされネジ棒と一体化された前記少なくとも２つのナットを回転操作することでネジ棒を一体回転させ、ネジ棒で基礎本体の下方を押して、基礎本体を上昇させていくことを特徴とする、直接基礎の不同沈下修復工法。
【請求項４】
請求項１又は２に記載の直接基礎の構造における操作孔内のネジ棒の外周部で締め合わされネジ棒と一体化された前記少なくとも２つのナットを回転操作することでネジ棒を一体回転させ、ネジ棒で基礎本体の下方を押して、基礎本体を上昇させていき、
その過程で締め合わせ状態を解除してこれらナットをネジ棒に沿って上昇させ、その高さ位置で締め合わせてネジ棒と一体化し、該ナットを回転操作することでネジ棒を一体回転させ、基礎本体を更に上昇させていくことを特徴とする、直接基礎の不同沈下修復工法。
【請求項５】
請求項１又は２に記載の直接基礎の構造における操作孔内のネジ棒の外周部で締め合わされネジ棒と一体化された前記少なくとも２つのナットを回転操作することでネジ棒を一体回転させ、ネジ棒が基礎本体の下方を押して、基礎本体が所定の適正高さ位置に修復されていることを特徴とする不同沈下を修正された直接基礎。
【発明の詳細な説明】
【０００１】
【発明の属する技術分野】
本発明は、不同沈下修正機能を有する直接基礎の構造に関する。
【０００２】
【従来の技術】
建物などの不同沈下修正工法として、従来より、いくつかの工法が提案されている。例えば、基礎を上昇させることなく、基礎天面を反力面として上部構造部をジャッキで上昇させ、上部構造部と基礎との間に支持部材を挟み込むものがある。また、基礎の脇から基礎下までを掘削し、基礎下に反力盤を設置して基礎をジャッキで上昇させ、基礎と反力盤との間に支持部材を挟み込むようにするものがある。また、同じく基礎の脇から基礎下までを掘削し、基礎下の地盤に、基礎下面を反力面としてジャッキで鋼管杭を打ち込んでいき、その反力で基礎を上昇させ、基礎と鋼管杭との間に支持部材を挟み込むようにするものがある。また、基礎の脇から基礎下にノズルを挿入して、基礎下に薬液を注入することで、基礎を上昇させるものがある。
【０００３】
【発明が解決しようとする課題】
しかしながら、不同沈下の修復工事において、ジャッキを使用して基礎や上部構造部を上昇させ、あいだに支持部材を挟み込む工法は、施工に多くの工数を必要とし、沈下の修復を簡易に行っていくことができないという問題があった。
【０００４】
特に、基礎下からジャッキで基礎を上昇させる工法の場合、基礎の脇から基礎下まで地盤を掘削しなければならず、またそのとき、基礎のコンクリートをはつる必要のある場合もあり、工事が大掛かりなものとなる。杭を使用する場合はなおさらである。また、薬液の注入による修復は、ミリ単位でのレベル調整が難しいという問題がある。更に、基礎を上昇させることなく上部構造部を上昇させて修復する工法は、適用範囲がそう広くはない。また、従来の修復工法には、最沈下に対応しにくいものが多い。
【０００５】
本発明は、上記のような従来の問題点に鑑み、沈下した基礎を簡易に修復することができ、レベル調整も細かく行うことができる不同沈下修正機能を有する直接基礎の構造を提供することを課題とする。
【０００６】
【課題を解決するための手段】
上記の課題は、基礎本体の下方を押して基礎本体を上昇させるネジ棒を螺合させる雌ネジ部が、基礎本体に備えられていることを特徴とする、不同沈下修正機能を有する直接基礎の構造によって解決される。ネジ棒は、予め雌ネジ部に螺合された状態に備えられていてもよいし、沈下の修復に際して雌ネジ部に螺合させるようにしてもよい。
【０００７】
この基礎構造によれば、基礎本体に備えられている雌ネジ部に螺合させたネジ棒を下方に螺進させていくだけで、ネジ棒は基礎本体の下方を押し、基礎本体が上昇して、基礎の沈下が修復される。このように、ネジ棒を回転させるだけの簡易な対応で、沈下した基礎を修復することができる。しかも、ネジで沈下を修正するものであるから、基礎のレベル調整を細かく行っていくことができる。
【０００８】
上記の基礎の構造において、基礎本体の下方が、ネジ棒の先端を支える反力面として十分に機能しない場合には、基礎本体の下方には予め反力盤を備えさせておくようにするとよい。
【０００９】
また、基礎がコンクリートの布基礎からなり、地上に突出する基礎本体立ち上がり部分の側面に床下に連通する貫通した操作孔が設けられ、雌ネジ部に螺合させたネジ棒が、この操作孔内に操作可能に露出して基礎本体に備えられている場合は、操作孔内に露出しているネジ棒を回転操作するだけで、基礎の沈下を修復することができ、沈下した基礎の修復を簡易に行うことができる。しかも、この操作孔により床下換気が行われるのみならず、建物の外から簡易に沈下の修復を行うことができる。更に、基礎コンクリートの芯位置ないしは芯近傍位置で基礎本体を上昇させるものであるから、上昇時に偏心荷重が働きにくく、雌ネジ部やネジ棒部の設置個所を少なくしながら、基礎本体を安定良く上昇させることができる。
【００１０】
また、操作孔内に露出するネジ棒の外周部にネジ棒を回転させる少なくとも２つのナットが螺合されている場合、これらナットは、相互接近方向に締め合わせることにより、ネジ棒の所定の高さ位置に固定することができ、固定したこのナットを回転操作することで、ネジ棒を下方に螺進させていくことができて、ネジ棒の回転操作のための手段を、簡素な構成により、基礎に備えさせることができる。
【００１１】
しかも、ネジ棒へのこれらナットの固定は、ネジ棒の高さ方向のいずれの位置においても行うことができ、ネジ棒の回転操作を行うのに最も都合の良い位置を選択して、その位置にナットを固定して、ネジ棒の回転操作を行うことができる。例えば、下方へのネジ棒の螺進が進んでナットが下方に移行してしまい、ネジ棒の回転操作を行いにくくなった場合は、ナット同士の締付けを緩めて、ナットの高さ位置を上昇させ、その高さ位置で再度締め合わせて固定するというようなことが可能である。
【００１２】
また、基礎が、フーチング部と立ち上がり部とを有する布基礎からなり、立ち上がり部から側方に突出するフーチング部分に上下方向に貫通する孔が設けられ、この孔にネジ棒を螺合させる雌ネジ部が備えられている場合は、側方に突出するフーチング部の上方のスペースを利用してネジ棒の回転操作を容易に行うことができる。
【００１３】
雌ネジ部が、立ち上がり部から両側方に突出する各フーチング部分のそれぞれに備えられている場合は、基礎本体を安定良く上昇させることができる。
【００１４】
【発明の実施の形態】
次に、本発明の実施形態を図面に基づいて説明する。
【００１５】
図１に示す第１実施形態の建物の基礎の構造において、１は基礎本体であり、基礎本体１はコンクリートの布基礎からなる。
【００１６】
基礎本体１のフーチング部２から立ち上がる基礎立ち上がり部３の高さ方向中間部の側面には、基礎の修復操作を行うための操作孔４が設けられている。操作孔４は、基礎立ち上がり部３を貫通し、建物の外と床下空間部とを連通しており、床下換気の機能も奏することができるものである。この操作孔４は、基礎の延びる方向に、複数、間隔的に備えられている。
【００１７】
そして、基礎本体１の幅方向中央部、即ち基礎本体１の重心位置ないしはその近傍位置に、上下方向を向く縦向きの孔５が、上記の操作孔４を横断し、基礎本体１の下面に開口するように、スリーブ管の埋込みによって形成されている。この縦向きの孔５において、操作孔４内の上側の開口部と、下側の開口部と、それから基礎本体１の下面の開口部のそれぞれに、ナット６，６，６が埋め込み固定状態にされて備えられている。これらナット６，６，６が、基礎本体１に備えられる雌ネジ部を構成する。この縦向き孔５内に、ネジ棒７が、これらナット６，６，６と螺合して配置され、操作孔４内を上下方向に縦向きに横断している。そして、このネジ棒７において、操作孔４内に露出する部分に２つの回転操作用ナット８，８が螺合されている。
【００１８】
なお、操作孔４は、常時は、ネジ棒７や回転操作用ナット８，８が外に露出して見えてしまうのを防ぐため、床下換気可能に、図示しないカバーにて閉じておくようにするのがよい。
【００１９】
そして、基礎本体１のフーチング部２の下面側には、鉄板やコンクリートなどからなる反力盤９が設置されており、フーチング部２の下面には、基礎本体１と反力盤９とが接着しないようにするための縁切りシート１０が取り付けられている。なお、１１，１１は防塵プロテクタである。
【００２０】
上記の基礎構造において、不同沈下を生じて、基礎の修復を行う場合は、カバーをとって操作孔４を開き、工具を用いて、図２（イ）（ロ）に示すように、上下の回転操作用ナット８，８を締め合わせるようにして、このナット８，８を建物の外から回転させていく。ナット８，８の回転により、ネジ棒７は、操作用ナット８，８と一体となって回転し、そして、基礎本体１に備えられているナット６，６，６によって下方に螺進していき、その下端が反力盤９を押し、それによって基礎本体１が上昇していく。この上昇により、基礎本体１の高さ位置が、本来あるべき高さ位置へと修正されていく。
【００２１】
なお、この修正操作の途中で、操作孔４内の回転操作用ナット８，８が操作孔４内の下部に達した場合は、そのままでは、ネジ棒７を下方へ螺進させていくことができない。そこで、図３（ハ）（ニ）に示すように、上下の操作用ナット８，８の締め合わせ状態を解除し、両回転操作用ナット８，８を回転してネジ棒７に沿って上昇させる。これにより、操作用ナット８，８を回転操作可能な高さ位置に戻すことができる。そして、両ナット８，８を締め合わせ状態に戻せば、再び、ナッ８，８の回転操作で、ネジ棒７を下方に螺進させ、基礎本体１の高さ位置を上昇させていくことができる。因みに、Ｍ３０のハイテンションボルトを使用し、トルク係数が０．１９の場合、操作用ナット８に５７ｋｇｆ・ｍのトルクをかけることで、１０ｔｆの基礎上昇力を得ることができる。
【００２２】
こうして、基礎本体１を所定の高さ位置まで上昇させた後、図３（ホ）に示すように、基礎本体１と反力盤９との間に注入剤１２を注入する。この注入剤１２の注入により、基礎本体１はしっかりと地盤に支えられる。もちろん、注入剤１２を注入することなく、基礎本体１をネジ棒７にて支えさせたままにしておいてもよい。基礎の芯位置ないしは芯近傍位置で基礎本体１をネジ棒７で上昇させるものであるから、基礎本体１をネジ棒７のみでも安定良く支持することができる。なお、注入剤１２を使用する場合は、再沈下の際の再修復を行いうるよう、ネジ棒７の回転を妨げない注入剤を使用するのがよい。以上により、不同沈下を起こした基礎の修復を終えることができる。
【００２３】
本実施形態の基礎構造によれば、不同沈下を生じた場合、工具を用いて、操作孔４内のナット８，８を回転操作するだけで、基礎本体１を上昇させ、沈下を修復することができ、沈下の修復を簡易に行うことができ、大掛かりな工事を必要としない。また、修復後、再度、沈下を生じた場合は、再度、操作孔４内のナット８，８を回転操作することで基礎本体１を上昇させることができ、再沈下に対する対応も容易に行うことができる。しかも、ネジ棒７を螺進させて基礎本体１を上昇させるものであるから、上昇量の調整をミリ単位で細かく行っていくことができ、高精度でかつ高品質の修復が可能である。
【００２４】
図４に示す第２実施形態の基礎構造は、図４（イ）に示すように、コンクリートの布基礎からなる基礎本体１において、側方に突出するフーチング部２に、上下方向に貫通する縦向きの孔５が、スリーブ管の埋込みによって形成されている。この縦向きの孔５において、その上下の開口部のそれぞれに、沈下修復用のネジ棒を螺合させるナット６，６が埋め込み固定状態にされて備えられている。これらナット６，６が、基礎本体１に備えられる雌ネジ部である。この雌ネジ部は、図４（ロ）に示すように、基礎フーチング部２の基礎立ち上がり部３を挟む両側に、基礎の延びる方向に千鳥配置で備えられている。
【００２５】
また、基礎本体１のフーチング部２の下面側には、反力盤９が設置されており、フーチング部２の下面には、基礎本体１と反力盤９とが接着しないようにするための縁切りシート１０が取り付けられ、そして、フーチング部２の上面に開口する孔５は蓋１３で閉じられ、フーチング部２は、土１４で地面下に埋め込まれている。
【００２６】
この基礎構造において、不同沈下を生じて、基礎の修復を行う場合は、図５（イ）に示すように、基礎本体１のフーチング部２の上面が露出する程度に土を除去する。基礎本体１の下まで掘削するものではないから、作業は容易である。
【００２７】
次いで、蓋１３を取り外し、図５（ロ）に示すように、ネジ棒７を基礎本体１のナット６，６に螺合させ、そして、図５（ハ）に示すように、ネジ棒７を回転させて下方に螺進させていき、反力盤９を押して、基礎本体１を所定の高さ位置まで上昇させていく。ネジ棒７を螺合させるナット６，６は、基礎立ち上がり部３を挟む両側に備えられているから、基礎本体１を安定良く上昇させることができる。しかも、ナット６は千鳥配置で備えさせているから、基礎本体１を少ない数のナットで安定良く上昇させることができる。
【００２８】
しかる後、土を埋め戻せばよい。以上により、沈下した基礎の修復を完了することができる。本実施形態の場合は、ネジ棒７の操作を、側方に突出するフーチング部２の上方の比較的広い空間スペースを利用して行うことができ、修復のためのネジ棒７の回転操作を容易に行うことができる。本実施形態の場合も再沈下に伴う再修復をネジ棒７の操作で容易に行っていくことができる。
【００２９】
図６に示す第３実施形態の基礎構造は、第２実施形態の変形例であり、図６（イ）に示すように、基礎本体１の側方に突出するフーチング部２の上面に、スリーブ管１５が、ナット６，６の備えられた縦向き孔５と連通するように、立設されている。このスリーブ管１５の上端の高さ位置は、地面の高さ位置に達しており、スリーブ管１５の上端は、蓋１６で密閉状態に閉じられている。なお、縦向き孔５やナット６が、基礎フーチング部２の基礎立ち上がり部３を挟む両側に、基礎の延びる方向に千鳥配置で備えられているのは、第２実施形態の場合と同様である。
【００３０】
この基礎構造では、不同沈下を生じて、基礎の修復を行う場合、図６（ロ）に示すように、スリーブ管１５の蓋１６を取り外し、ネジ棒７をスリーブ管１５に通して、フーチング部２の縦向き孔５のナット６，６に螺合させ、そして、図６（ハ）に示すように、ネジ棒７を回転させて下方に螺進させていき、反力盤９を押して、基礎本体１を所定の高さ位置まで上昇させていくというようにして修復を行う。第２実施形態の場合のように、土の除去を行う必要がなく、基礎の修復をより一層容易に行っていくことができる。
【００３１】
以上に、本発明の実施形態を示したが、本発明はこれに限られるものではなく、発明思想を逸脱しない範囲で、各種の変更が可能である。例えば、上記の実施形態では、再沈下の際の修復に対応しうるものとしているが、修復後の基礎本体の支持安定性を優先させる必要がある場合に、基礎本体下面と反力盤との間の空間部にネジ棒を一体化させる注入剤で充填するなどして、再度の沈下に対する対応をネジ棒の回転操作によって行えないようにしてもよいことはいうまでもない。また、本発明は、布基礎のほか、独立基礎などにも適用して用いることができるし、また、鉄筋コンクリート基礎や、鉄骨コンクリート基礎、鉄骨基礎、鉄骨鉄筋コンクリート基礎など、各種の基礎に適用して用いることができることはいうまでもない。また、ネジ棒は、基礎の施工当初から基礎本体に備えられていてもよいし、修復に際して使用するようにしてもよいことは、上記の実施形態に述べたとおりであり、また、修復に際して使用したネジ棒については、修復後に取り外してもよいし、修復後そのまま基礎本体に残したままにしてもよい。また、本発明の基礎構造は、建物の基礎に限らず、各種構造物の基礎に適用して広く用いることができるものである。
【００３２】
【発明の効果】
上述の次第で、本発明は、以上のとおりのものであるから、沈下した基礎を簡易に修復することができ、レベル調整も細かく行うことができる。
【図面の簡単な説明】
【図１】第１実施形態の基礎構造を示すもので、図（イ）は横断面図、図（ロ）は正面図である。
【図２】図（イ）及び図（ロ）は、図３とともに基礎修復の過程を順次に示す横断面図である。
【図３】図（ハ）乃至図（ホ）は修復の過程を順次に示す横断面図である。
【図４】第２実施形態の基礎構造を示すもので、図（イ）は横断面図、図（ロ）は平面である。
【図５】図（イ）乃至図（ハ）は基礎修復の過程を順次に示す横断面図である。
【図６】第３実施形態の基礎構造を示すもので、図（イ）乃至図（ハ）は基礎修復の過程を順次に示す横断面図である。
【符号の説明】
１…基礎本体
２…フーチング部
３…立ち上がり部
４…操作孔
６…ナット（雌ネジ部）
７…ネジ棒
８…回転操作用ナット
９…反力盤
【図１】
0004312907.tif 000002
【図２】
0004312907.tif 000003
【図３】
0004312907.tif 000004
【図４】
0004312907.tif 000005
【図５】
0004312907.tif 000006
【図６】
0004312907.tif 000007